(57)【要約】【課題】帽子の庇の形状に対応して雨水を視界に入らない方向に誘導する雨水処理体を提供する。【解決手段】帽子１の前方側の庇３の上面１４に装着され、庇３の上面１４の雨水を視界から外れる方向に誘導する雨水処理体６であって、雨水処理体６は、棒状部材からなる棒状部７と、棒状部７の端部に設けられ、庇３の端縁部４を挟持可能なクリップ片８，８と、からなり、クリップ片８，８が庇３の端縁部４に差し込まれることで棒状部７が庇３の上面１４に添うように装着され、棒状部７により帽子本体２から庇３の先端部５に向けて滴る雨水が視界から外れる方向に誘導され、雨水が庇３の端縁部４から流下されるようになっている。【選択図】図４
2009062631.tif 000002
【特許請求の範囲】
【請求項１】
帽子の前方側の庇上面に装着され、該庇上面の雨水を視界から外れる方向に誘導する雨水処理体であって、
前記雨水処理体は、棒状部材からなる棒状部と、該棒状部の端部に設けられ、前記庇の端縁部を挟持可能な挟持部と、からなり、前記庇の端縁部が前記挟持部により差し込まれることで前記棒状部が前記庇上面に添うように装着され、前記棒状部により帽子本体から前記庇の先端部に向けて滴る雨水が視界から外れる方向に誘導されるようになっていることを特徴とする請求項１に記載の雨水処理体。
【請求項２】
前記棒状部は、略Ｕ字状または略Ｖ字状に形成され、
前記挟持部は、前記棒状部の両端部に形成されていることを特徴とする請求項１に記載の雨水処理体。
【請求項３】
前記棒状部の所定箇所に屈曲部が形成されていることを特徴とする請求項２に記載の雨水処理体。
【請求項４】
前記棒状部の下面に、可撓性材が設けられていることを特徴とする請求項１ないし３のいずれかに記載の雨水処理体。
【請求項５】
前記挟持部は、前記棒状部の両端部を折返し屈曲形成してなるクリップ片にて構成され、前記クリップ片の屈曲先端部に折返し部が形成されていることを特徴とする請求項１ないし４のいずれかに記載の雨水処理体。
【請求項６】
前記挟持部は、前記棒状部の両端部を折返し屈曲形成してなるクリップ片にて構成され、前記棒状部の略全域に沿って折返して形成されていることを特徴とする請求項１ないし４のいずれかに記載の雨水処理体。
【請求項７】
前記可撓性材は、前記クリップ片の屈曲先端部内まで延設されていることを特徴とする請求項５または６に記載の雨水処理体。
【請求項８】
前記棒状部は、屈曲自在に変形可能であることを特徴とする請求項１ないし７のいずれかに記載の雨水処理体。
【発明の詳細な説明】
【技術分野】
【０００１】
本発明は、帽子の前方側の庇上面に装着され、庇上面の雨水を視界から外れる方向に誘導する雨水処理体に関する。
【背景技術】
【０００２】
従来、ゴルフ等のプレーヤーが使用する帽子は、帽子本体の前方に庇を設けたものが一般的である。しかし雨天の場合、このような帽子を使用してゴルフを行うと、庇の先端部から雨水が滴り落ち、特にゴルフのパット時には、この雨水がプレーヤーの視界に入り、集中力が散漫になり気が散るといった問題があった。
【０００３】
この問題を改善すべく、庇に、帽子本体に向けて湾曲する複数の凹凸部を設け、雨水を視界から外れる方向に流しているものがある。（例えば、特許文献１参照）。
【０００４】
【特許文献１】特開２０００−８２１８号公報（第２頁、第１図）
【発明の開示】
【発明が解決しようとする課題】
【０００５】
しかしながら、特許文献１に記載の帽子にあっては、雨水を視界から外れる方向に流しているものの、予め帽子に凹凸部が設けられているため、プレーヤーの帽子の被り方によっては、庇の形状が変形し、凹凸部に流れる雨水が視界に入ってくるといった虞がある。
【０００６】
本発明は、このような問題点に着目してなされたもので、帽子の庇の形状に対応して雨水を視界に入らない方向に誘導する雨水処理体を提供することを目的とする。
【課題を解決するための手段】
【０００７】
前記課題を解決するために、本発明の請求項１に記載の雨水処理体は、
帽子の前方側の庇上面に装着され、該庇上面の雨水を視界から外れる方向に誘導する雨水処理体であって、
前記雨水処理体は、棒状部材からなる棒状部と、該棒状部の端部に設けられ、前記庇の端縁部を挟持可能な挟持部と、からなり、前記庇の端縁部が前記挟持部により差し込まれることで前記棒状部が前記庇上面に添うように装着され、前記棒状部により帽子本体から前記庇の先端部に向けて滴る雨水が視界から外れる方向に誘導されるようになっていることを特徴としている。
この特徴によれば、帽子の庇の向きや目線の方向や庇の形状や帽子の被り方に応じて雨水処理体を挟持部により庇に取り付けることができるため、庇上面を滴る雨水を棒状部により視界から外れる所望の方向に誘導して庇の端縁部から下方に落下させることができ、雨水処理体の位置を決定することができる。
【０００８】
本発明の請求項２に記載の雨水処理体は、請求項１に記載の雨水処理体であって、
前記棒状部は、略Ｕ字状または略Ｖ字状に形成され、
前記挟持部は、前記棒状部の両端部に形成されていることを特徴とする請求項１に記載の雨水処理体。
この特徴によれば、帽子に降下する雨滴の影響を受けない領域を確保できるため、この領域に流れる雨水を確実に棒状部により誘導することができる。
【０００９】
本発明の請求項３に記載の雨水処理体は、請求項２に記載の雨水処理体であって、
前記棒状部の所定箇所に屈曲部が形成されていることを特徴としている。
この特徴によれば、屈曲部により雨水処理体を屈曲することができるため、雨水処理体を所望の位置に所望の大きさで取り付けることができる。
【００１０】
本発明の請求項４に記載の雨水処理体は、請求項１ないし３のいずれかに記載の雨水処理体であって、
前記棒状部の下面に、可撓性材が設けられていることを特徴としている。
この特徴によれば、可撓性材により棒状部と庇との当接面に生じる隙間の発生を防止できるため、雨水を棒状部により確実に誘導することができる。
【００１１】
本発明の請求項５に記載の雨水処理体は、請求項１ないし４のいずれかに記載の雨水処理体であって、
前記挟持部は、前記棒状部の両端部を折返し屈曲形成してなるクリップ片にて構成され、前記クリップ片の屈曲先端部に折返し部が形成されていることを特徴としている。
この特徴によれば、クリップ片により庇の端縁部を挟持した後、別途取付具等を用いることなく、棒状部を庇に取り付けることができる。また、折返し部が存在するため、雨水処理体を庇の先端側から押し込むだけで、容易に雨水処理体を庇に取り付けることができる。
【００１２】
本発明の請求項６に記載の雨水処理体は、請求項１ないし４のいずれかに記載の雨水処理体であって、
前記挟持部は、前記棒状部の両端部を折返し屈曲形成してなるクリップ片にて構成され、前記棒状部の略全域に沿って折返して形成されていることを特徴としている。
この特徴によれば、クリップ片により棒状部の下面を略全域に亘って庇上面と密接して庇を挟持することができるため、棒状部と庇との当接面に隙間が生じることなく、確実に雨水を棒状部により誘導することができる。
【００１３】
本発明の請求項７に記載の雨水処理体は、請求項５または６に記載の雨水処理体であって、
前記可撓性材は、前記クリップ片の屈曲先端部内まで延設されていることを特徴としている。
この特徴によれば、クリップ片において庇の上面との間に生じる隙間の発生を防止することができるため、雨水がクリップ片内を通過して帽子の先端部に向かって流れることなく、雨水を庇の端縁部から下方に落下させることができる。
【００１４】
本発明の請求項８に記載の雨水処理体は、請求項１ないし７のいずれかに記載の雨水処理体であって、
前記棒状部は、屈曲自在に変形可能であることを特徴としている。
この特徴によれば、棒状部を屈曲させることができるため、雨水処理体を所望の形状に変形させて所望の位置に取り付けることができる。
【発明を実施するための最良の形態】
【００１５】
本発明に係る雨水処理体を実施するための最良の形態を実施例に基づいて以下に説明する。
【実施例１】
【００１６】
本発明の実施例を図面に基づいて説明すると、先ず図１は、本発明の実施例１における雨水処理体が庇に取り付けられた全体像を示す斜視図であり、図２は、図１の雨水処理体の全体像を示す斜視図であり、図３は、図１のＡ−Ａ線の断面図であり、図４は、図１の雨水処理体が取り付けられた場合の雨水が庇の上面を流れる状態を示す斜視図であり、図５は、雨水処理体の形状を変形して庇に取り付けた状態を示す斜視図である。以下、図１紙面下側を雨水処理体の正面側（前方側）とし、図１紙面上側を雨水処理体の後方側とし、図１紙面左側を雨水処理体の左方側とし、図１紙面右側を雨水処理体の右方側とし、図３紙面上側を雨水処理体の上方側とし、図３紙面下側を雨水処理体の下方側として説明する。
【００１７】
図１の符号１は、本発明の適用された雨水処理体が取り付けられる帽子であり、この帽子１としては、例えばゴルフや野球等で使用されるキャップ型のものであり、側形状が曲面状の帽子本体２と、この帽子本体２の前方に連設する庇３とから形成されている。
【００１８】
この庇３の外縁を形成する端縁部４は、庇３の前方側の中央位置における先端部５に向けて湾曲している。また、一般的に庇３は、庇３の中心部を境にして庇３の左右が下方向に向けて緩やかに傾斜した曲面（ラウンド）形状になっている。
【００１９】
庇３の上面には、庇３の先端部５側から滴り落ちる雨水によりプレーヤーの視界が遮られることがないように、雨水を視界から外れる方向に誘導する雨水処理体６が取り付けられている。
【００２０】
図２に示されるように、本実施例の雨水処理体６は、略Ｕ字状に湾曲して形成される棒状部７と、棒状部７の両端部に設けられ、庇３の端縁部４を挟持する挟持部としてのクリップ片８，８と、からなる。
【００２１】
棒状部７は、図２及び図３に示されるように、断面視略四角形状をなす弾性変形自在な硬質合成樹脂により棒状に形成されてなるプラスチック片９と、プラスチック片９の下面の略全域に亘って設けられ、棒状部７の下面１６を形成するフェルト等からなる可撓性材１０と、棒状部７における中間部に設けられた屈曲部を構成するゴム部１１と、からなり、棒状部７は、ゴム部１１を中心として左右側に屈曲自在に構成されている。尚、可撓性材１０は、プラスチック片９よりも軟質な素材にて構成されていることが好ましく、フェルト材以外に、例えばスポンジやゴム等であってもよい。
【００２２】
図３に示されるように、クリップ片８は、プラスチック片９の端部を折返し屈曲形成することにより側面視略Ｕ字形をなすように、プラスチック片９とともに一体に成型されている。
【００２３】
このクリップ片８における庇３の下面１５側に折返し屈曲形成された下側の屈曲片１２は、自然状態において上側のプラスチック片９に近接した状態で形成されており（図３中一点鎖線の屈曲片１２）、上側のプラスチック片９と下側の屈曲片１２との間に庇３の端縁部４が差し込まれることで下側の屈曲片１２が弾性変形し、その弾性復帰力により端縁部４が挟持されるようになっている。
【００２４】
また、屈曲片１２の先端部（屈曲先端部）には、先端に向かうに従い下方に傾斜する折返し部１８が形成されており、庇３の端縁部の差し込み口が幅広に形成されているため、下側の屈曲片１２の先端部を手で拡げたりすることなく、雨水処理体６を押し込むだけで端縁部４にクリップ片８が差し込まれ、下側の屈曲片１２の弾性復帰力により端縁部４が挟持される。
【００２５】
可撓性材１０は、棒状部７側からクリップ片８内の屈曲端部１３まで延設されており、これによりクリップ片８における上側のプラスチック片９と庇３の上面１４との間に隙間が閉塞されているため、雨水がクリップ片８内を通過して庇３の先端部５に向かって流れることが防止されている。
【００２６】
次に、雨水処理体６の使用状況について説明する。雨水処理体６は、図４に示されるように、棒状部７が庇３の上面１４上に配置される姿勢とした状態で、クリップ片８，８を端縁部４に差し込むことにより、屈曲片１２の弾性復帰力により庇３の端縁部４が挟持され、この挟持力により、棒状部７が庇３の上面１４に沿うように装着される。
【００２７】
雨水処理体６が庇３に装着された状態では、棒状部７は先端部５側に向けて開放する略Ｕ字形をなす、つまり庇３の先端部５側を上方、かつ帽子本体２側を下方として視た場合に略Ｕ字形をなすとともに、可撓性材１０の下面１６が庇３の上面１４の曲面（ラウンド）形状に応じて変形するため、可撓性材１０の下面１６の略全域が庇３の上面１４と密接される。
【００２８】
具体的には、図４に示されるように、棒状部７の下面１６に可撓性材１０が設けられており、庇３の上面１４の曲面形状に応じてこの可撓性材１０が変形することで庇３の上面１４と当接するため、プラスチック片９の下面１６と庇３の上面１４とに隙間が生じることがない。
【００２９】
更に、棒状部７にゴム部１１が形成されていることで、ゴム部１１の左右の棒状部７，７がゴム部１１を中心として下方に屈曲することができるため、庇３の上面１４が略山型形状となっている場合でも、棒状部７に無理な力を加えて変形させなくても、棒状部７の下面１６を庇３の上面１４に沿うように装着することができる。
【００３０】
よって、図４の黒塗矢印に示されるように、例えばゴルフのパット時等において、目線が下を向く打球体勢となった場合、庇３が下方に傾斜し、帽子本体２から庇３の先端部５に向けて雨水が流れるが、この雨水は棒状部７の外側面に当接することで、該棒状部７の外側面に沿って左右側に誘導されながらクリップ片８，８が位置する庇３の端縁部４まで流れ落ち、最終的には、庇３の端縁部４におけるクリップ片８，８の先端（屈曲端部１３）から下方に落下する。
【００３１】
つまり、庇３の上面１４を流れ落ちる雨水は、端縁部４の左右側に配置されたクリップ片８，８の屈曲端部１３，１３から流れ落ちることで、落下する雨水が使用者の視界に入りにくくなる。また、屈曲端部１３，１３が端縁部４から外方に突出した状態で設けられるため、屈曲端部１３，１３まで伝い落ちた雨水は、中央の先端部５側に回り込むことなく落下される。
【００３２】
また、クリップ片８，８により庇３の端縁部４が挟持されることで、庇３の上面１４は、雨水処理体６により、その後方側に形成される領域Ｂと雨水処理体６の前方側に形成される領域Ｃとに区画され、領域Ｂに降下した雨水が領域Ｃに浸入することがないので、棒状部７により庇３の左右側に確実に誘導される。
【００３３】
また、可撓性材１０がクリップ片８の屈曲端部１３まで延設されていることで、クリップ片８におけるプラスチック片９と庇３の上面１４との間に隙間が生じることがないため、領域Ｂに流れる雨水がクリップ片８内を通過して領域Ｃに浸入し、先端部５等から、つまり視界に入りやすい位置から雨水が落下することを効果的に防止することができる。
【００３４】
また、棒状部７にゴム部１１が形成されていることで、例えば、図５中一点鎖線で示されるように、左右のクリップ片８，８を互いに近づくように（図中矢印方向）屈曲させ、棒状部７の曲率を変えて庇３の上面１４に雨水処理体６を取り付けることが可能となる。このように、クリップ片８，８の端縁部４への取り付け位置や棒状部７の形状（曲率）を簡単に変更できることで、使用者が所望する形状に雨水処理体６を変形させて庇３の上面１４に取り付けることができる。
【００３５】
以上に説明したように、本実施例において帽子１の庇３の向きや目線の方向や庇３の形状や帽子１の被り方に応じて雨水処理体６をクリップ片８，８により庇３に取り付けることができるため、庇３の上面１４を滴る雨水を棒状部７により視界から外れる所望の方向に誘導して庇３の端縁部４から下方に落下させることができ、雨水処理体６の位置を決定することができる。
【００３６】
例えば、本実施例では庇３の左右方向の略中央位置に雨水処理体６を取り付けたが、使用者が庇３を左右いずれかの方向に傾けた状態で装着する場合には、雨水処理体６を中心より右側または左側に偏らせた位置に取り付けることができるばかりか、帽子の形態に応じた取付位置に取り付けることができる。
【００３７】
このように雨水処理体６を使用する際には、クリップ片８，８で端縁部４を挟持するだけで、使用者の所望の位置に雨水処理体６を簡単に装着でき、晴れの日等の非使用時には取り外してコンパクトに収納することができるため、邪魔になることがない。
【００３８】
また、棒状部７は略Ｕ字状に形成されるとともに、クリップ片８，８が棒状部７の両端部に形成されているため、帽子１に降下する雨滴の影響を受けない領域Ｂを確保でき、この領域Ｂに流れる雨水を確実に棒状部７により誘導することができる。
【００３９】
また、棒状部７の所定箇所にゴム部１１が形成されていることで、ゴム部１１により雨水処理体６を屈曲することができるため、図５に示されるように、雨水処理体６を所望の位置に所望の大きさで取り付けることができる。また、雨水処理体６の使用後、雨水処理体６を互いのクリップ片８，８同士を近づけて片付けることができるため、雨水処理体６を携帯し易いばかりか、スペースをとることなく雨水処理体６を保管することができる。
【００４０】
また、棒状部７の下面１５に可撓性材１０が設けられていることで、プラスチック片９の形状を大きく変形させなくても、棒状部７と庇３との当接面に生じる隙間の発生を防止できるため、雨水を棒状部７により確実に誘導することができる。
【００４１】
また、クリップ片８，８を構成する屈曲片１２の先端部に折返し部１８が形成されていることで、クリップ片８，８により庇３の端縁部４を挟持した後、別途取付具等を用いることなく、棒状部７を庇３に取り付けることができる。また、折返し部１８が存在するため、雨水処理体６を庇３の先端部５側から押し込むだけで、容易に雨水処理体６を庇３に取り付けることができる。
【００４２】
また、可撓性材１０は、クリップ片８，８の屈曲片１２内まで延設されていることで、雨水がクリップ片８，８内を通過して帽子１の先端部５に向かって流れることなく、雨水を庇３の端縁部４から下方に落下させることができる。
【実施例２】
【００４３】
次に、実施例２に係る雨水処理体につき、図６、７を参照して説明する。図６は、実施例２における雨水処理体の全体像を示す斜視図であり、図７は、図６の雨水処理体が庇に取り付けられた全体像を示す斜視図である。尚、前記実施例１に示される構成部分と同一構成部分に付いては同一符号を付して重複する説明を省略する。
【００４４】
図６に示されるように、本実施例２における雨水処理体２６は、棒状部７の両端部に形成される挟持部としてのクリップ片２８の屈曲片２２の先端部が、棒状部７に沿うように延設されて該棒状部７と同形に形成されている。つまりクリップ片２８は、棒状部７の略全域に沿って折返して形成されている。尚、屈曲片２２におけるゴム部１１の下方位置には、ゴム部１１と同材質のゴム部１１’が形成されている。
【００４５】
このように構成された雨水処理体２６は、図７に示されるように庇３に取り付けられた状態において、棒状部７が庇３の上面１４に装着されるとともに、下側の屈曲片２２が庇３の下面１５に装着される。これにより、前記実施例１の雨水処理体６と同様の作用・効果が得られるだけでなく、クリップ片８の屈曲片２２が棒状部７の略全域に亘って延設され互いに連結された無端状の雨水処理体としていることで、クリップ片２８により棒状部７の下面１６を略全域に亘って庇３の上面１４と密接して庇３を挟持することができる。つまり、この挟持力がクリップ片２８近傍だけでなく棒状部７の略全域に亘り作用するため、棒状部７を庇３の上面１４に隙間なく当接させることができる。
【００４６】
尚、本実施例２では、棒状部７の下面１６に可撓性材が設けられていないが、棒状部７の下面１６に可撓性材を設けてもよい。
【実施例３】
【００４７】
次に、実施例３に係る雨水処理体につき、図８、９を参照して説明する。図８は、実施例３における雨水処理体の全体像を示す斜視図であり、図９は、図８の雨水処理体が取り付けられた場合の雨水が庇の上面を流れる状態を示す斜視図である。尚、前記実施例に示される構成部分と同一構成部分に付いては同一符号を付して重複する説明を省略する。
【００４８】
図８に示されるように、本実施例３における雨水処理体４６は、プラスチック片４９及び可撓性材５０からなる直線状の棒状部４７と、棒状部４７の端部に形成されたクリップ片４８と、から棒状に形成されている。
【００４９】
このように構成された雨水処理体４６は、図９に示されるように、例えば２本の雨水処理体４６を、庇３の先端部５側を上方、かつ帽子本体２側を下方として視た場合に略ハの字状になるように庇３の上面１４に取り付けて配置することで、雨水を視界から外れる方向に流下させることができる。
【００５０】
このように雨水処理体４６は棒状に形成されて１つの挟持部のみ形成されていることで、実施例１，２の雨水処理体６，２６に比べて、使用者が所望する形状に配置して使用することができる。尚、図９においては、庇３の上面１４に雨水処理体４６を庇３の先端部５側を上方、かつ帽子本体２側を下方として視た場合に略ハの字状に配置した状態が示されているが、配置形態は種々に変更可能であり、特に図示はしないが、例えば２本の雨水処理体４６を、庇３の先端部５側を上方、かつ帽子本体２側を下方として視た場合に略Ｖ字形をなすように庇３の上面１４に取り付けて配置してもよいし、３本以上の雨水処理体４６を所望の形状に配置してもよいし、あるいは雨水処理体を１本のみ使用して配置してもよい。また、棒状部７が直線状であるため携帯性に優れる。
【実施例４】
【００５１】
次に、実施例４に係る雨水処理体につき、図１０，１１を参照して説明する。図１０は、実施例４における雨水処理体の全体像を示す斜視図であり、図１１は、図１０の雨水処理体が取り付けられた場合の雨水が庇の上面を流れる状態を示す斜視図である。尚、前記実施例に示される構成部分と同一構成部分に付いては同一符号を付して重複する説明を省略する。
【００５２】
図１０に示されるように、本実施例４における雨水処理体６６は、軟質の合成樹脂材等からなる変形自在なプラスチック片６９及び可撓性材７０とからなる棒状部６７と、棒状部６７の端部に形成されたクリップ片６８と、から形成されている。プラスチック片６９の内部にはアルミニウム等から成る金属板が設けられており（図示略）、屈曲自在に変形できるように形成されているため（図１０中一点鎖線の棒状部６７参照）、棒状部６７に外力を加えることで金属板が変形し、該変形した形状で保持されるようになっている。
【００５３】
このように構成された雨水処理体６６は、図１１に示されるように、庇３の上面１４に沿って変形させた状態で取り付けることができるため、庇３の上面１４における所望の位置に取り付けることができるとともに、庇３の上面１４の形状に応じた形態に変形して取り付けることができるため、棒状部６７の下面１６を庇３の上面１４に密接させることができる。
【００５４】
尚、本実施例では金属板等が内蔵された軟質のプラスチック材にてプラスチック片６９が形成されていたが、金属板等が内蔵されたゴム材にて棒状部を構成してもよい。
【００５５】
以上、本発明の実施例及びを図面により説明してきたが、具体的な構成はこれら実施例に限られるものではなく、本発明の要旨を逸脱しない範囲における変更や追加があっても本発明に含まれる。
【００５６】
前記実施例１，２では、棒状部７が略Ｕ字状に湾曲した形状に形成されているが、これに限らず、例えば棒状部が略Ｖ字状に形成されたものであってもよい。
【００５７】
また、前記実施例１，２では、棒状部７の略中央位置に屈曲部としてゴム部１１が形成されているが、中央部以外の所定箇所に形成してもよいし、形成する数量は任意に変更可能である。
【００５８】
また、前記実施例では、棒状部７，４７，６７各々の下面１６に可撓性材１０、５０、７０が設けられているが、密接状態を形成できるものであれば特に可撓性材を設けなくてもよい。
【００５９】
また、前記実施例では、棒状部の端部に形成される挟持部が、プラスチック片と一体的に形成されたクリップ片にて構成されていたが、例えば棒状部７の端部に、既製品のクリップ等を固着することにより挟持部を構成してもよい。
【００６０】
また、前記実施例１〜４では、雨水処理体６、２６、４６、６６がゴルフや野球等で使用されるキャップ型の帽子１に取り付けられる例を記載したが、これに限らず、例えば、庇を有するハットやヘルメット等に適用してもよい。
【図面の簡単な説明】
【００６１】
【図１】本発明の実施例１における雨水処理体が庇に取り付けられた状態を示す斜視図である。
【図２】図１の雨水処理体の全体像を示す斜視図である。
【図３】図１のＡ−Ａ線の断面図である。
【図４】図１の雨水処理体が取り付けられた場合の雨水が庇の上面を流れる状態を示す斜視図である。
【図５】雨水処理体の形状を変形して庇に取り付けた状態を示す斜視図である。
【図６】実施例２における雨水処理体の全体像を示す斜視図である。
【図７】図６の雨水処理体が庇に取り付けられた全体像を示す斜視図である。
【図８】実施例３における雨水処理体の全体像を示す斜視図である。
【図９】図８の雨水処理体が取り付けられた場合の雨水が庇の上面を流れる状態を示す斜視図である。
【図１０】実施例４における雨水処理体の全体像を示す斜視図である。
【図１１】図１０の雨水処理体が取り付けられた場合の雨水が庇の上面を流れる状態を示す斜視図である。
【符号の説明】
【００６２】
１                帽子
２                帽子本体
３                庇
４                端縁部
５                先端部
６                雨水処理体
７                棒状部
８                クリップ片（挟持部）
９                プラスチック片
１０              可撓性材
１１              ゴム部（屈曲部）
１２              屈曲片
１３              屈曲端部
１４              上面（庇上面）
１５              下面（庇下面）
１６              下面（棒状部の下面）
１８              折返し部
【図１】
2009062631.tif 000003
【図２】
2009062631.tif 000004
【図３】
2009062631.tif 000005
【図４】
2009062631.tif 000006
【図５】
2009062631.tif 000007
【図６】
2009062631.tif 000008
【図７】
2009062631.tif 000009
【図８】
2009062631.tif 000010
【図９】
2009062631.tif 000011
【図１０】
2009062631.tif 000012
【図１１】
2009062631.tif 000013